(57)【特許請求の範囲】
【請求項１】
画像の使用用途別に複数の画像転送用バッファと、
前記各画像転送用バッファに格納される画像の処理方法を独立して設定可能とした複数の画像処理経路と、
を有し、
前記各画像処理経路は、それぞれ画像の色空間を設定可能であることを特徴とするモバイルカメラ。
【請求項２】
画像の使用用途別に複数の画像転送用バッファと、
前記各画像転送用バッファに格納される画像の処理方法を独立して設定可能とした複数の画像処理経路と、
を有し、
前記各画像処理経路は、それぞれ画像を任意位置および任意サイズで切り出し可能であることを特徴とするモバイルカメラ。
【請求項３】
画像の使用用途別に複数の画像転送用バッファと、
前記各画像転送用バッファに格納される画像の処理方法を独立して設定可能とした複数の画像処理経路と、
を有し、
前記各画像処理経路は、それぞれ動画のフレームレートを任意に調節可能であることを特徴とするモバイルカメラ。
【発明の詳細な説明】
【０００１】
【発明の属する技術分野】
本発明は、モバイルカメラに関し、例えば撮像機能を有する携帯電話等において、画像処理以外の処理を圧迫することなく複数の画像処理を同時に行えるようにしたモバイルカメラに関するものである。
【０００２】
【従来の技術】
従来のモバイルカメラを、撮像機能を有する携帯電話を例にとって説明する。
撮像機能を有する携帯電話は、撮像器、画像処理器、および中央演算処理器が直列に接続されている。そして、撮像器が取り込んだ画像が、画像処理器で適当な画像に変換され、中央演算器が使用用途に応じて記憶装置や表示装置等に振り分けている。
このようなモバイルカメラにおいて、画像データは、画像ファイル、動画ファイル等に変換してから記憶装置へ格納されたり、あるいは表示装置の仕様に合わせて変換してから表示装置へ転送されるというように、画像処理器で一度画像処理された画像データを、中央演算処理器が再度画像処理するという場合が少なくない。
【０００３】
【発明が解決しようとする課題】
しかしながら、このような画像の再処理では、画像処理以外の処理を圧迫することになる。また、撮像時のプレビュー画面や動画処理などはリアルタイム性が要求されるため、画像処理自体の負荷も大きくなる。
このような理由から、従来のモバイルカメラにおいて、複数の画像処理を同時に行うことは非常に困難であるという問題があった。
【０００４】
本発明は、上述した従来の技術が有する問題点に鑑み提案されたもので、中央演算処理器の負荷を軽減し、逐次または同時に複数の画像を転送することができるモバイルカメラを提供することを目的とする。
【０００５】
【課題を解決するための手段】
本発明に係るモバイルカメラは、画像の使用用途別に複数の画像転送用バッファを設けたことを特徴とするものである。
【０００６】
ここで、前記各画像転送用バッファに格納される画像は、同時転送可能であってもよいし、逐次転送可能であってもよい。
【０００７】
また、本発明に係るモバイルカメラは、前記各画像転送用バッファに格納される画像の処理方法を独立して設定可能とした複数の画像処理経路を有することを特徴とするものである。
ここで、前記各画像処理経路は、それぞれ画像の色空間を設定可能としてもよいし、それぞれ画像を任意位置および任意サイズで切り出し可能としてもよいし、それぞれ画像を任意サイズに縮小および拡大可能としてもよいし、それぞれ動画のフレームレートを任意に調節可能としてもよい。
【０００８】
本発明に係るモバイルカメラにおいては、上述した構成を備えているため、中央演算処理器に負荷をかけることなく、複数の画像処理を行うことができ、画像処理以外の処理を圧迫することがない。
【０００９】
また、本発明に係るモバイルカメラは、新しい技術によって生まれた画像処理方式に合わせて、画像処理経路をさらに増設することができ、従来の画像処理経路に影響を与えることなく機能を拡張することが可能である。
【００１０】
【発明の実施の形態】
以下、図面に示す具体的な実施例に基づいて、本発明に係るモバイルカメラの実施形態を説明する。
【００１１】
＜実施例１＞
図１は、本発明の実施例１に係るモバイルカメラの構成を示すブロック図である。
図１において、１は撮像器、２は画像処理器である。また、画像処理器２は、複数の画像処理経路（１），（２），…，（ｎ）を含んでいる。さらに、Ａは撮像器１の出力信号群、Ｂは画像処理器２およびそれに含まれる画像処理経路（１）、画像処理経路（２）、画像処理経路（ｎ）の入力信号群、Ｃ１は画像処理経路（１）の出力信号群、Ｃ２は画像処理経路（２）の出力信号群、Ｃｎは画像処理経路（ｎ）の出力信号群である。なお、各画像処理経路（１），（２），…，（ｎ）には、画像処理部および画像格納用のバッファが含まれている。
【００１２】
実施例１に係るモバイルカメラは、図１に示すように、撮像器１により画像を受信し、出力信号群Ａに取り込んだ画像データが出力される。この画像データは出力信号群Ａ−入力信号群Ｂ−画像処理経路（１）、出力信号群Ａ−入力信号群Ｂ−画像処理経路（２）、出力信号群Ａ−入力信号群Ｂ−画像処理経路（ｎ）の経路で、それぞれ設定された通りの画像処理が行なわれる。
画像処理経路（１）、画像処理経路（２）、…、画像処理経路（ｎ）には、それぞれ画像格納用のバッファが含まれており、後段の装置の要求により、出力信号群Ｃ１，Ｃ２，…，Ｃｎからそれぞれ独立して画像データを出力する。
【００１３】
＜実施例２＞
図２は、本発明の実施例２に係るモバイルカメラの構成を示すブロック図である。
図２において、１は撮像器、２は画像処理器、３はデータバス、４は中央演算処理器、５は表示装置、６は記憶装置である。また、画像処理器２は、複数の画像処理経路（１），（２），…，（ｎ）を含んでいる。さらに、Ａは撮像器１の出力信号群、Ｂは画像処理器２およびそれに含まれる画像処理経路（１）、画像処理経路（２）、画像処理経路（ｎ）の入力信号群、Ｄ１は画像処理経路（１）の出力信号群、Ｄ２は画像処理経路（２）の出力信号群、Ｄｎは画像処理経路（ｎ）の出力信号群、Ｅはデータバス３と中央演算処理器４間のインターフェース信号群、Ｆは表示装置５の入力信号群、Ｇは記憶装置６の入力信号群である。なお、各画像処理経路（１），（２），…，（ｎ）には、画像処理部および画像格納用のバッファが含まれている。
【００１４】
実施例２に係るモバイルカメラは、図１に示すように、撮像器１により画像を受信し、出力信号群Ａに取り込んだ画像データが出力される。この画像データは出力信号群Ａ−入力信号群Ｂ−画像処理経路（１）、出力信号群Ａ−入力信号群Ｂ−画像処理経路（２）、出力信号群Ａ−入力信号群Ｂ−画像処理経路（ｎ）の経路で、それぞれ設定された通りの画像処理が行なわれる。
【００１５】
画像処理経路（１）には、画像格納用のバッファが含まれており、中央演算処理器４の要求により、画像処理経路（１）−Ｄ１−データバス３の経路で中央演算処理器４へ画像データが転送される。
同様に、画像処理経路（２）の画像データは、画像処理経路（２）−Ｄ２−Ｆの経路で、直接、表示装置５に転送される。同様に、画像処理経路（ｎ）の画像データは、画像処理経路（ｎ）−Ｄｎ−Ｇの経路で、直接、記憶装置６に転送される。
【００１６】
画像処理経路（１）−Ｄ１−データバス３−中央演算処理器４の経路、画像処理経路（２）−Ｄ２−Ｆ−表示装置５の経路、画像処理経路（ｎ）−Ｄｎ−Ｇ−記憶装置６の経路は、それぞれ独立しているため、画像データ転送を同時に行うことができる。
【００１７】
＜実施例３＞
図３は、本発明の実施例３に係るモバイルカメラの構成を示すブロック図である。
図３において、１は撮像器、２は画像処理器、３′はデータバス、４′は中央演算処理器、５′は表示装置、６′は記憶装置である。また、画像処理器２は、複数の画像処理経路（１），（２），…，（ｎ）を含んでいる。さらに、Ａは撮像器１の出力信号群、Ｂは画像処理器２およびそれに含まれる画像処理経路（１）、画像処理経路（２）、画像処理経路（ｎ）の入力信号群、Ｈ１は画像処理経路（１）の出力信号群、Ｈ２は画像処理経路（２）の出力信号群、Ｈｎは画像処理経路（ｎ）の出力信号群、Ｉはデータバス３′と中央演算処理器４′間のインターフェース信号群、Ｊはデータバス３′と表示装置５′間のインターフェース信号群、Ｋはデータバス３′と記憶装置６′間のインターフェース信号群である。なお、各画像処理経路（１），（２），…，（ｎ）には、画像処理部および画像格納用のバッファが含まれている。
【００１８】
実施例３に係るモバイルカメラは、図３に示すように、撮像器１により画像を受信し、出力信号群Ａに取り込んだ画像データが出力される。この画像データは出力信号群Ａ−入力信号群Ｂ−画像処理経路（１）、出力信号群Ａ−入力信号群Ｂ−画像処理経路（２）、出力信号群Ａ−入力信号群Ｂ−画像処理経路（ｎ）の経路で、それぞれ設定された通りの画像処理が行なわれる。
【００１９】
画像処理経路（１）、画像処理経路（２）、画像処理経路（ｎ）には、それぞれ画像格納用のバッファが含まれており、中央演算処理器４′の要求により、データバス３′を経由して、出力信号群Ｈ１，Ｈ２，Ｈｎのいずれかから排他的に画像データが出力される。
【００２０】
出力された画像データは、Ｈ１−データバス３′−Ｉ、Ｈ２−データバス３′−ＩまたはＨｎ−データバス３′−Ｉの経路で、中央演算処理器４′に入力される。
さらに、中央演算処理器４′は、受け取った画像データを、用途に応じてＩ−データバス３′−Ｊの経路で表示装置５′に振り分け、あるいはＩ−データバス３′−Ｋの経路で記憶装置６′に振り分ける。
【００２１】
【発明の効果】
本発明に係るモバイルカメラは、上述した構成を備えているため、複数の画像処理を中央演算処理器が行う必要がなくなり、中央演算処理器は画像処理以外の処理に専念できるようになる。
したがって、中央演算処理器の負荷が軽減され、逐次または同時に複数の画像を転送することが可能となる。
【図面の簡単な説明】
【図１】本発明の実施例１に係るモバイルカメラの構成を示すブロック図である。
【図２】本発明の実施例２に係るモバイルカメラの構成を示すブロック図である。
【図３】本発明の実施例３に係るモバイルカメラの構成を示すブロック図である。
【符号の説明】
１  撮像器
２  画像処理器
３，３′  データバス
４，４′  中央演算処理器
５，５′  表示装置
６，６′  記憶装置
Ａ  撮像器の出力信号群
Ｂ  画像処理器の入力信号群
Ｃ１，Ｄ１，Ｈ１  画像処理経路（１）の出力信号群
Ｃ２，Ｄ２，Ｈ２  画像処理経路（２）の出力信号群
Ｃｎ，Ｄｎ，Ｈｎ  画像処理経路（ｎ）の出力信号群
Ｅ，Ｉ  データバスと中央演算処理器間のインターフェース信号群
Ｆ  表示装置の入力信号群
Ｇ  記憶装置の入力信号群
Ｊ  データバスと表示装置間のインターフェース信号群
Ｋ  データバスと記憶装置間のインターフェース信号群
【図１】
0004046539.tif 000002
【図２】
0004046539.tif 000003
【図３】
0004046539.tif 000004